(57)【特許請求の範囲】
【請求項１】
ドアのドア枠に対する開閉が自在な解錠状態と、前記ドアを閉じ姿勢にロックする施錠状態との切換が自在な錠前装置が装備されている開閉ドアであって、
前記錠前装置は、遠隔操作並びに鍵による前記解錠状態と前記施錠状態との切換が自在なものに構成されるとともに、前記錠前装置における前記鍵が差し込まれる鍵穴部分が視認不能に隠される隠蔽状態と、前記鍵穴部分への前記鍵の差込みが自在となる露出状態との切換が可能な鍵穴隠し手段が装備されており、
前記鍵穴隠し手段が前記隠蔽状態にあるときには、前記鍵穴部分が開閉ドア構成部材によって隠されるように構成されており、
前記錠前装置は、前記鍵穴部分を有して前記ドア枠に取付られる錠本体と、この錠本体に突出移動及び退入移動自在に支持されるロック部材とを有しており、前記ロック部材が突出移動して前記ドアのロック用穴に挿入される前記施錠状態と、前記ロック部材が退入移動して前記ロック用穴から抜け出す前記解錠状態とが切換自在に構成され、
前記ドア枠には、機能設備が装備される前記開閉ドア構成部材としての袖パネルが、その閉じ状態においては前記ドアの横に並ぶ状態で開閉可能に外装されており、前記鍵穴隠し手段は、閉じ状態にある前記袖パネルによって前記鍵穴部分が隠蔽され、かつ、前記袖パネルが開き状態にあるときには前記鍵穴部分が露出される構造によって構成されている開閉ドア。
【請求項２】
前記袖パネルを閉じ状態にロックする第２錠前装置が装備されている請求項１に記載の開閉ドア。
【請求項３】
前記第２錠前装置は、複数桁の数字が予め決められている所定の組み合わせ状態に操作されるに従って解錠されるダイヤル錠を有して構成されている請求項２に記載の開閉ドア。
【請求項４】
前記第２錠前装置は、袖パネルの表面に形成される操作孔からの手指による解錠操作が可能に装備されるとともに、前記操作孔は、着脱自在に前記袖パネル表面に装着される表示ラベルによって覆われる構成とされている請求項２又は３に記載の開閉ドア。
【請求項５】
前記表示ラベルは、前記袖パネル表面への磁着及び取外しが自在なネームプレートである請求項４に記載の開閉ドア。
【発明の詳細な説明】
【技術分野】
【０００１】
本発明は、主としてマンション、ビル、戸建住宅等の建物に用いられる玄関ドア等の開閉ドアに関するものである。
【背景技術】
【０００２】
近年、空き巣（侵入窃盗）が多発する傾向にある。空き巣の手口としては種々のものがあるが、中でもピッキングによるものも増加している。ピッキングとは、合鍵以外の用具（ピッキング用具：特殊工具）を用い、錠シリンダー部分を操作して解錠する手口のことであり、熟練者になれば極僅かな時間で解錠してしまうほどである。ピッキングによる手口の空き巣では、窓ガラスが割られるといった損壊されるものが一切無いため、発見が遅れやすいとともに、犯罪自体に気が付き難いという面がある。
【０００３】
そこで、錠前の製造会社は研究して構造に工夫を凝らし、ピッキングされても容易には解錠できないものにする改良努力が為されてはいるが、それに従ってピッキング技術も進化して行くという「いたちごっこ」の傾向があり、なかなかピッキングによる被害を減少させるのが難しいというのが実情である。
【０００４】
対策としては、特許文献１に示されるように、ドアノブに被せるカバー具を装備することにより、そのドアノブに装備されている鍵穴、若しくはドアノブ付近に配置されている鍵穴を覆って隠すことにより、ピッキングを未然に防止させるようにした技術が知られている。この従来技術では、カバーが開かないようにするための専用の錠が付いており、二重ロックによって防犯機能を高めることが可能でもある。
【０００５】
また、国際特許出願である特許文献２の図５において開示されたもののように、錠前の室内側に付いている手動操作用のサムターンの回動可能及び不能の切換が自在なロック手段を、遠隔操作によって選択操作できるようにした技術も知られている。つまり、サムターンを回動不能状態に切換えておけば、例え、ピッキングされても、最終的に解錠すべくサムターンの回動が不能になっているから、ドアを開けられてしまうことが防止できるというものである。
【特許文献１】特開２００２−３４９１０４号公報
【特許文献２】ＷＯ２００２／０５７５７４号公報
【発明の開示】
【発明が解決しようとする課題】
【０００６】
しかしながら前記前者の従来技術では、ドアを開けるには必ず２種の（２回の）解錠操作が必要であり、面倒で時間が掛かる不利があるとともに、カバー具及びその錠が露出されているので見栄えが芳しくないという欠点がある。また、カバー具の錠もドアの錠もピッキングされてしまうおそれは存在する。
【０００７】
そして、前記後者の従来技術では、室内側にロック手段が装備されているので、外部からはドアの見栄えが維持されるものではあるが、うっかり遠隔操作手段を出先に忘れたりするとドアを開けることが不能になる不都合がある。加えて、最終的にドアは開けられないにしてもピッキングされる行為自体の防止はできないので、それによって鍵穴が傷付けられるおそれは残る。
【０００８】
このように、いずれの従来技術であっても、見栄えや解錠操作性を損なうことなくピッキングが防止でき、しかもそのための手段に起因してドアを開けることができない不都合が生じない開閉ドアの実現には、さらなる改善の余地が残されているものであった。
【０００９】
本発明の目的は、ドアの錠前装置やその配置構造、並びに錠前装置の使い方等を見直すことにより、ドアとしての外観や見栄え、並びに解錠操作性を損なうことがないようにしながらピッキングの防止が行えるとともに、そのピッキング防止手段に起因した不測のドア開放不能事態を招くことも無いよう、改善された開閉ドアを提供する点にある。
【課題を解決するための手段】
【００１０】
請求項１に係る発明は、ドア２のドア枠１に対する開閉が自在な解錠状態と、前記ドア２を閉じ姿勢にロックする施錠状態との切換が自在な錠前装置５が装備されている開閉ドアにおいて、前記錠前装置５は、遠隔操作並びに鍵Ｋによる前記解錠状態と前記施錠状態との切換が自在なものに構成されるとともに、前記錠前装置５における前記鍵Ｋが差し込まれる鍵穴部分５Ａが視認不能に隠される隠蔽状態と、前記鍵穴部分５Ａが露出される露出状態との切換が可能な鍵穴隠し手段Ｂが装備されており、
前記鍵穴隠し手段Ｂが前記隠蔽状態にあるときには、前記鍵穴部分５Ａが開閉ドア構成部材Ｇによって隠されるように構成されており、
前記錠前装置５は、前記鍵穴部分５Ａを有して前記ドア枠１に取付られる錠本体５Ｂと、この錠本体５Ｂに突出移動及び退入移動自在に支持されるロック部材２２とを有しており、前記ロック部材２２が突出移動して前記ドア２のロック用穴５Ｈに挿入される前記施錠状態と、前記ロック部材２２が退入移動して前記ロック用穴５Ｈから抜け出す前記解錠状態とが切換自在に構成され、
前記ドア枠１には、機能設備７〜１１が装備される前記開閉ドア構成部材Ｇとしての袖パネル３が、その閉じ状態においては前記ドア２の横に並ぶ状態で開閉可能に外装されており、前記鍵穴隠し手段Ｂは、閉じ状態にある前記袖パネル３によって前記鍵穴部分５Ａが隠蔽され、かつ、前記袖パネル３が開き状態にあるときには前記鍵穴部分５Ａが露出される構造によって構成されていることを特徴とするものである。
【００１１】
【００１２】
【００１３】
請求項２に係る発明は、請求項１に記載の開閉ドアにおいて、前記袖パネル３を閉じ状態にロックする第２錠前装置５０が装備されていることを特徴とするものである。
【００１４】
請求項３に係る発明は、請求項２に記載の開閉ドアにおいて、前記第２錠前装置５０は、複数桁の数字列４４ａ，４４ｂ，４４ｃが予め決められている所定の組み合わせ状態に操作されるに従って解錠されるダイヤル錠４４を有して構成されていることを特徴とするものである。
【００１５】
請求項４に係る発明は、請求項２又は３に記載の開閉ドアにおいて、前記第２錠前装置５０は、袖パネル３の表面に形成される操作孔４８からの手指による解錠操作が可能に装備されるとともに、前記操作孔４８は、着脱自在に前記袖パネル表面３Ａに装着される表示ラベルＬによって覆われる構成とされていることを特徴とするものである。
【００１６】
請求項５に係る発明は、請求項４に記載の開閉ドアにおいて、前記表示ラベルＬは、前記袖パネル表面３Ａへの磁着及び取外しが自在なネームプレートであることを特徴とするものである。
【発明の効果】
【００１７】
請求項１の発明によれば、遠隔操作と鍵による解錠及び施錠が行える錠前装置、及び鍵穴隠し手段とを設けることにより、通常は鍵穴部分が隠蔽される状態での遠隔操作によって錠前装置の解錠及び施錠を行うことができる。つまり、いちいち鍵及び鍵穴部分を用いなくても解錠及び施錠が行えるものであるから、従来のように鍵穴部分を露出させておく必要が無く、従って見えないように隠してしまう構成をとることが可能になる。また、意匠性の点では乏しいものである鍵穴部分が見えないように隠されることにより、開閉ドアとしての見た目をより良いものとすることが可能になる。その結果、ドアとしての外観や見栄え、並びに解錠操作性を損なうことがないようにしながらピッキングの防止が行えるとともに、そのピッキング防止手段に起因した不測のドア開放不能事態を招くことも無いよう、改善された開閉ドアを提供することができる。
【００１８】
また、請求項１の発明によれば、鍵穴部分を隠す手段としてドア構成部材を用いてあるから、鍵穴部分の存在をより判り難くする作用があるとともに、専用の隠し部材を設ける場合に比べて開閉ドアとしての外観に不自然さを与えることが無い又はほぼ無いようにすること、並びにコストダウンが可能になるといった利点が追加される。
【００１９】
さらに、請求項１の発明によれば、嵩張る構成となり易い錠前装置を固定部位であるドア枠に装備させる構成としてあるから、不自然に出っ張る等の錠前装置を設けることに起因した形状の制約がドアには無くなり、ドア形状の自由度が高まる利点がある。そして、ドアの横に配備される開閉可能な袖パネルによって鍵穴部分が隠される構成とされているから、袖パネルが閉じられている通常の状態では、外から鍵穴部分が完全に隠された状態となる。そして遠隔操作による解錠が行えない場合には、袖パネルを開くことで鍵穴部分を露出でき、鍵を用いた手動操作で解錠することが可能になる。つまり、元々備わっている袖パネルを鍵穴隠し手段に兼用させることで、見栄えを損なうことなく、かつ、コストアップを招くことなく請求項２による前記作用及び効果を得ることができる利点がある。
【００２０】
請求項２の発明によれば、開閉可能な袖パネルを閉じロックできる第２錠前装置が設けられているので、何らかの原因によって鍵穴部分が袖パネルで隠されている構造が分ったとしても、袖パネルを開けることができないことによって二重の安全装置として機能することになるから、優れたピッキング防止機能を有する開閉ドアとして提供できる利点がある。尚、錠前の構造によっては、第２錠前装置がピッキングに遭う可能性は残るが、ピッキングを複数回行わねばならないことが判明した時点で、普通はピッキング対象から外されるから、やはり優れたピッキング防止効果は有効である。
【００２１】
請求項３の発明によれば、第２錠前装置をダイヤル錠を有する構成としてあるから、数字列さえ覚えておけば、第２錠前装置用の鍵を携帯する必要は無くなり、その第２錠前装置用の鍵を忘れる不都合を回避することができる便利さがある。
【００２２】
請求項４の発明によれば、第２錠前装置（ダイヤル錠）を操作すべく袖パネルに形成される操作孔が、表示ラベルで覆われて見えないように構成されているから、外観を損なうことがないとともに、万が一、鍵穴部分を露出させるには袖パネルを開けば良い、ということ、或いは、袖パネルが開かないようにロックされている、ということが分ったとしても、袖パネルのロック状態を解錠するための糸口である操作孔がすぐには見つけられないから、それによってピッキングを断念させられる効果がある。この言わば三重の安全装置と言うべきロック構造により、ドアの解錠及び施錠操作を簡単化しながピッキング防止を図る、という効果をより高次元で達成することができる利点がある。
【００２３】
加えて、第２錠前装置操作用の操作孔を隠す手段が、本来的に袖パネルに備わっている表示ラベルの磁着によって為されるものであるから、開閉ドアとしての外観を損なうことなく、かつ、実質的にコストアップ無く操作孔を隠す機能を得ることができる利点もある。この場合、請求項５のように、表示ラベルを、入居者が変わることを考慮して着脱可能とされていることが多いネームプレートに設定すれば、表示ラベルを着脱するための専用の手段が不要となり、経済的に構成できる利点がある。
【発明を実施するための最良の形態】
【００２４】
以下に、本発明による開閉ドアの実施の形態を、図面を参照しながら説明する。図１はマンション用の袖パネル付玄関ドアの外観図、図２は図１の玄関ドアの内観図、図３は玄関ドアの横断面図、図４はダイヤル錠部分における袖パネルの横断面図、図５は電子キーの概略の内部構造を示す一部切欠きの側面図、図６はダイヤル錠部分の正面図、図７は非常時における玄関ドアの開き操作手順を示す作用図である。
【００２５】
〔実施例１〕
図１は、開閉ドアの一例として、高層マンション用の袖パネル付玄関ドア（以下、玄関ドアと略称する）Ａを示している。Ｆは床（マンションの廊下）である。この玄関ドアＡは、建物の躯体１７に取付固定されるドア枠１と、ドア枠１に開閉自在に支承されるドア２と、各種機能設備７〜１１が装備され、かつ、ドア２の向って左側に隣接する状態でドア枠１に支持されるパネル材４から成る袖パネル３と、から構成されている。ドア２は、向って右側の端部に設定される上下向きのドア支点Ｐ周りで揺動開閉自在にドア枠１に支承されるとともに、上下二箇所の錠前装置５と対を為すためのロック用穴５Ｈ（図３参照）と、取っ手（把手）６と、意匠用の表パネル２Ｂ等を有して構成されている。
【００２６】
この玄関ドアＡには、図１，２，５に示すように、持ち運び自在な電子キー３５を用いた遠隔操作により、一対の錠前装置５，５の施錠及び解錠の各操作が行える非接触ドアロック装置Ｄが採用されている。即ち、非接触ドアロック装置Ｄとは、電子キー３５を携帯してさえおれば、玄関ドア２に近付けば両錠前装置５，５が自動的に解錠され、玄関ドア２から離れれば両錠前装置５，５が自動的に施錠されるシステムであり、商用電源（ＡＣ１００Ｖ）が供給される室内操作盤３６、制御装置３７、上下の錠前装置５，５、室内及び室外受信機（アンテナユニット）３８，３９、及び電子キー３５から構成されている。
【００２７】
袖パネル３は、パネル材４をその向って左側の端部に設けた上下向きのパネル支点Ｑ周りで揺動可能にドア枠１に支承して成り、パネル材４を閉じ状態にあるドア２と平行な姿勢とすべく閉じ揺動された作用姿勢（図１に実線で示す姿勢）と、パネル材４の背面４Ｈ（図３参照）を露呈すべく開き揺動されたメンテナンス姿勢（図１に仮想線で示す姿勢）とに切換自在に構成されている。パネル材４には、上から玄関灯７、世帯番号札８、ネームプレート９、インターホン１０、新聞や郵便物等を収容するための外部ポスト１１等から成る種々の機能設備７〜１１が装備されている。
【００２８】
ドア枠１は、図１〜図３に示すように、中空断面形状を有する左右の縦枠材１２，１３、上下の横枠部材１４，１５、中空断面形状を有する中間縦枠材（中間縦枠部）１６等から構成されており、例えば、躯体であり固定部でもある金属製等の強度部材１７にボルト止め固定されている。これら枠材１２〜１６は、例えば下側の横枠部材１５をステンレス材から形成し、その他の枠材１２〜１４，１６は圧延鋼板材から形成するが、アルミ合金を用いる等、これらには限定されない。右縦枠材１３と中間縦枠材１６には、これらの間に人体や荷物等の通過用空間Ｓを形成するとともに、ゴム等の合成樹脂材によるシール材１８，１９を支持するように、前後方向に若干の幅を有した内壁面１３ａ，１６ａが形成されている。
【００２９】
ドア２は、図１〜図３に示すように、扉本体２Ｈと、開閉基端側の端面材２Ａと、扉本体２Ｈの外面に取付けられる表パネル２Ｂとを有する金属製のものに構成されており、上下の横枠材１４，１５夫々との間に亘る状態の支軸２０を介してドア支点Ｐを中心に揺動開閉自在にドア枠１に支承されている。端面材２Ａは、横断面が半円形状を呈する曲面のドア支点側端面２ａを有する押出し材製であり、箱体状の扉本体２Ｈの内部空間にはグラスウール等の防音断熱材２１が充填されている。また、表パネル２Ｂの向って左側の端となる左端部は、中間縦枠材１６の前面における右側部分、及び中間縦枠材１６と扉本体２Ｈとの縦隙間を覆って隠す役割を有している。
【００３０】
錠前装置５は、電子キー３５による遠隔操作並びに鍵Ｋによる解錠状態と施錠状態との切換が自在なもの（電動手動兼用型）に構成されるとともに、錠前装置５における鍵（キー）Ｋが差し込まれる鍵穴部分５Ａが開閉ドア構成部材３によって隠される隠蔽状態と、鍵穴部分５Ａが露出される露出状態との切換が可能な鍵穴隠し手段Ｂが装備されている。具体的には、図１〜図３，図５示すように、中間縦枠材１６の上下に計２組の錠前装置５が取付られており、鍵穴部分５Ａを有して中間縦枠材１６に取付られる錠本体５Ｂと、この錠本体５Ｂに突出移動及び退入移動自在に支持されるロック部材２２とを有しており、ロック部材２２が突出移動してドア２のロック用穴５Ｈに挿入される施錠状態（図３に示す状態）と、ロック部材２２が退入移動してロック用穴５Ｈから抜け出す解錠状態とが切換自在に構成されている。
【００３１】
中間縦枠材１６は、躯体の強度部材１７に連設される厚幅の第１端部１６ａと、通過用空間Ｓを形成するための厚幅の第２端部１６ｂと、これら両端部１６ａ，１６ｂの間に位置する薄幅の取付用部１６ｃとの各部を備えた断面が略「コ」字形状を呈する部材であり、取付用部１６ｃを内外に貫通する状態で錠前装置５が装備されている。つまり、両端部１６ａ，１６ｂで囲まれる凹状部位に、錠本体５Ｂとサムターン（操作ノブ）２３が配置されている。
【００３２】
錠前装置５の構造は、図５に示すように、取付用部１６ｃの内面側に配置される錠本体５Ｂと手動操作用のサムターン２３、外面側に配置される鍵穴部分５Ａ、取付用部１６ｃを貫通する操作軸２４、操作軸２４によって出退操作されるロック部材２２等から構成されている。つまり、錠前装置５は、鍵穴部分５Ａを有してドア枠１に取付られる錠本体５Ｂと、この錠本体５Ｂに突出移動及び退入移動自在に支持されるロック部材２２とを有しており、ロック部材２２が突出移動してドア２のロック用穴５Ｈに挿入される施錠状態と、ロック部材２２が退入移動してロック用穴５Ｈから抜け出す解錠状態とが切換自在に構成されている。尚、操作軸２４の回動によってロック部材２２を突出移動及び退入移動させる機構は公知技術に付き、図示並びに説明は割愛する。
【００３３】
さて、錠本体５Ｂは、カバーケース２５とそれに内装される駆動操作部Ｃとを有して構成されている。駆動操作部Ｃは、正逆回転駆動自在な電動モータ２７とこれの回転動力を操作軸２４に伝達するための伝達機構２６とを有して構成されており、伝達機構２６は、モータ軸に外装されるウォームギヤ２９、大ギヤ３０、第１ギヤ３１、電磁クラッチ２８、第２ギヤ３２、操作軸２４に外装される第３ギヤ３３を有して構成されている。電磁クラッチ２８は、電動モータ２７に通電されるに従ってクラッチＯＮ（伝動状態）となり、電動モータ２７への通電が解除されるに従ってクラッチＯＦＦ（伝動遮断状態）となるように連係されている。故に、電動モータ２７を用いない場合にはサムターン２３又は鍵Ｋを鍵穴部分５Ａの鍵穴５ａに差し込んでの手動による解錠操作並びに施錠操作が自在に行えるものに構成されている。尚、図５に示す３４は、ロック部材２２のスライド支承用として第２端部１６ｂの通過用空間Ｓ側の側壁にビス止めされる外装プレートである。
【００３４】
図５に示すように、電動モータ２７の駆動は、前述の非接触ドアロック装置Ｄにより、電子キー３５から発信される電波による遠隔操作によって行われる。電子キー３５は、施錠スイッチ（ロックスイッチ）４０と解錠スイッチ（アンロックスイッチ）４１と、電源切れ表示ランプ４２と、図示しない送信機とを備えており、ドア枠１に装備されている内外の受信機３８，３９との協動によって２個の錠前装置５，５の施錠並びに解錠の遠隔操作が自在である。前述のように、電子キー３５がドア２（内外の受信機３８，３９）に対する所定距離範囲内に入ると錠前装置５，５、が自動解錠され、所定距離範囲外に出ると自動施錠されるが、施錠スイッチ４０の操作による強制施錠、並びに解錠スイッチ４１の操作による強制解錠も自在に行えるように構成されている。
【００３５】
次に、袖パネル３のロック構造について説明する。図４，図６に示すように、袖パネル３には、これを閉じ状態にロックする第２錠前装置５０がステー４３を介してパネル裏面３Ｕに取付けられている。第２錠前装置５０は、三桁（複数桁の一例）で０〜９の数字が予め決められている所定の組み合わせ状態に操作されるに従って解錠されるダイヤル錠を有して構成されている。ダイヤル錠４４の操作軸４５に取付けられるロックアーム４６と、中間縦枠材１６に固着されるストッパ板４７とが対を為す関係にあり、ロックアーム４６が横臥姿勢となるロック位置Ｒに切換えられると、そのロックアーム４６の先端部がストッパ板４７の背後に位置して袖パネル３の開き揺動を不可とするロック状態（図６に仮想線で示す状態）になる。そして、ロックアーム４６を回動移動させて起立した解錠位置Ｅに切換えられると、ストッパ板４７との干渉が解消されて袖パネル３の開き揺動が自在となる解錠状態が得られるのである。
【００３６】
また、袖パネル３をドア枠１に対して閉じた作用姿勢を維持させる機構であるマグネットキャッチ４９が装備されている。マグネットキャッチ４９は、図４に示すように、パネル材４の向って右端部の上下中間位置において内装されたマグネット４９ａと、鋼板製の中間縦枠材１６の前面１６ｄの前面に磁着自在な状態でパネル材４に外装される金属板材製のキャッチ４９ｂとで成り、マグネット４９ａの磁力を受けるキャッチ４９ｂが中間縦枠材１６に磁力吸引されることで袖パネル３の作用姿勢を維持できるようになっている。
【００３７】
ところで、ダイヤル錠４４の操作（解錠操作、施錠操作）は、パネル材４の外表面に形成される操作孔４８からの手指操作が可能に構成される、操作孔４８は、着脱自在に袖パネル３表面に装着されるネームプレート（表示ラベルＬの一例）９によって覆われる構成とされている。世帯番号札８の直下に配置されるネームプレート９は磁気を帯びた金属板で成り、金属製の袖パネル３の外表面３Ａに磁着取付けされており、その取付状態においては操作孔４８が丁度隠れて見えないようになっている。
【００３８】
しかして、上下三段に並ぶ回し数字列４４ａ，４４ｂ，４４ｃが所定の組合わせ（例：上から３，９，５）に揃うと初めて外周摘み部４４Ａの回動操作が可能となり、従って、操作孔４８から手指で外周摘み部４４Ａを矢印イ方向に回動してロックアーム４６を横臥姿勢から起立姿勢に回してロック解除し、袖パネル３の開き揺動が可能になる。数字列４４ａ，４４ｂ，４４ｃが揃わないと外周摘み部４４Ａは動かないので、袖パネル３は閉じ状態に維持されるものとなる。
【００３９】
又、袖パネル３の外表面３Ａにおける揺動先端側には、前方（厚み方向）に隆起する状態で上下に貫通形成される帯状突出部３Ｂが形成されており、その帯状突出部３Ｂの内側に、中間縦枠材１６から前方突出する状態の鍵穴部分５Ａが配置されている。つまり、前述した鍵穴隠し手段Ｂは、袖パネル（開閉ドア構成部材Ｇの一例）３が閉じ状態にあるときにはこの袖パネル３によって鍵穴部分５Ａが見えないように隠蔽され、かつ、袖パネル３が開き状態にあるときには鍵穴部分５Ａが露出される構造によって構成されている 。その袖パネル３は、通常はダイヤル錠４４によって閉じ状態に維持されているとともに、そのダイヤル錠４４も、通常はネームプレート９によって覆われて見えないように隠された状態に維持されている。
【００４０】
以上のように構成されている玄関ドアＡの使用状況は次のようになる。通常は電子キー３５を携帯しておくことにより、室内から或いは室外から玄関ドアＡに近付けば電子キー３５からの電波が内又は外の受信機３８，３９に届き、それによって上下の錠前装置５，５が共に自動的に解錠されてドア２の開閉操作が自在に行える状態となり、ドア２を開閉しての出入が自在に行える状況が得られる。そして、室内に入って、或いは外出することで玄関ドア２から所定距離離れるに従って電子キー３５からの電波が内又は外の受信機３８，３９に届かなくなり、それによって上下の錠前装置５，５が共に自動的に施錠されて玄関ドア２が閉じ状態にロックされるのである。尚、解錠後において電子キー３５を携帯している状態でも、各受信機３８，３９に装備されている押しボタン３８ａ，３９ａを押せば強制施錠を行うことができる。
【００４１】
電子キー３５を携帯し忘れても、非常用の鍵Ｋを持っている場合であれば、次のような操作でもって玄関ドア２の開閉が可能になる。まず、図７（ａ）に示すように、ネームプレート９を外して（パネル外表面３Ａの別の場所に磁着させておいて）操作孔４８を露出させ、その操作孔４８から手指を挿入してダイヤル錠４４を解錠し、ロックアーム４６を横臥姿勢から起立姿勢に回動操作して袖パネル３のロックを解除する。次に、図７（ｂ）に示すように、袖パネル３を手前に揺動して開き、それによって露出される上下の鍵穴部分５Ａ，５Ａの鍵穴５ａ，５ａに、付帯している鍵Ｋを差し込んでの手動操作により、上下の錠前装置５，５を解錠操作する。両方の錠前装置５，５の解錠により、図７（ｃ）に示すように、玄関ドア２を開くのである。
【００４２】
このように本発明による開閉ドアＡは、基本的に電子キー３５による非接触ドアロック装置Ｄを採用して鍵穴部分５Ａを隠す構成とすることにより、施錠及び解錠操作を簡便化しながらピッキング防止が図れるものである。つまり、「ドアのロック及びロック解除の際には錠前装置を鍵（キー）を用いて手動操作するものである」という認識（視点）を変えることにより、本発明を想到できるに至ったものである。本発明による開閉ドア（玄関ドア）Ａでは、ドア外部からは鍵穴部分５Ａが全く認識できないので、その段階でピッキング対象から外される効果があるとともに、たとえ、袖パネル３の向こう側に鍵穴部分５Ａが存在することが判ったとしても、袖パネルを開ける手段が簡単には分らないという効果もある。そして、万が一、ネームプレート９を外すことが判ったとしても、そこに存在するダイヤル錠４４がまたしても鬼門となるから、この言わば三重の安全装置により、ほぼ完全なまでにピッキング防止効果を得ることができる。
【００４３】
〔別実施例〕
図示は省略するが、以下に述べる構造の開閉ドアは本発明の範疇に入るものであると定義する。
（１）実施例１を基本として、袖パネル３を作用姿勢（閉じ状態）にロック維持する第２錠前装置５０を持たない構造の開閉ドア。
【００４４】
【００４５】
（２）錠前装置の遠隔操作手段としては、電子キー３５によるもののほか、錠前装置５の電動モータ２７を駆動するためのセンサー部又は発信機能が鍵Ｋ自身に装備された構成のものでも良い。この構造では、電子キー３５も鍵Ｋも両方とも忘れて解錠できない、という不都合の可能性を低くすることができる効果がある。
【図面の簡単な説明】
【００４６】
【図１】マンション用の袖パネル付玄関ドアの外観図
【図２】図１のドアの内側部分及び非接触ドアロック装置の構造を示す概略図
【図３】電子キー部分におけるドアの断面図
【図４】袖パネルの開閉構造を示す断面図
【図５】電子キーの概略の構造を示す断面図
【図６】袖パネルのダイヤル錠装着部の正面図
【図７】電子スイッチを忘れた場合のロック解除操作手順を示し、（ａ）はダイヤル錠操作工程、（ｂ）はキーによるロック解除工程、（ｃ）はドア開き工程
【符号の説明】
【００４７】
１                ドア枠
２                ドア
３                袖パネル
３Ａ              袖パネル表面
５                錠前装置
５Ａ              鍵穴部分
５Ｂ              錠本体
５Ｈ              ロック用穴
７〜１１          機能設備
２２              ロック部材
４４              ダイヤル錠
４４ａ〜４４ｃ    数字列
４８              操作孔
５０              第２錠前装置
Ａ                開閉ドア
Ｂ                鍵穴隠し手段
Ｇ                ドア構成部材
Ｋ                鍵
Ｌ                表示ラベル
【図１】
0004613119.tif 000002
【図２】
0004613119.tif 000003
【図３】
0004613119.tif 000004
【図４】
0004613119.tif 000005
【図５】
0004613119.tif 000006
【図６】
0004613119.tif 000007
【図７】
0004613119.tif 000008